(57)【要約】【課題】  単位容積当たりの効能が高く、求める効能に対応した様々な種類の浴湯改質体を容易に組み合わせできる小型低コストの温浴器を提供する。【解決手段】  板状に加工したラジウム石・天寿石・ゲルマニウム石・トルマリン石・麦飯石からなる５種の浴湯改質体２をスペーサーを介して積層し、各浴湯改質体２にボルト穴２ａを連通するように形成し、各ボルト穴２ａにボルト３を通してナットで螺合し、最上位置の浴湯改質体２以外の浴湯改質体２に通水穴を形成し、真中の浴湯改質体２の両端が他の浴湯改質体２の両端より内側になるように狭幅にして取っ手７を形成し、最下位置の浴湯改質体２の下面にゴム製の脚部材６を設けた。【選択図】図１
0003133305.tif 000002
【実用新案登録請求の範囲】
【請求項１】
浴湯を改質する２種以上の異なる板状の浴湯改質体を所定間隔おいて積層した、温浴器。
【請求項２】
各浴湯改質体を取り外し可能に連結した、請求項１記載の温浴器。
【請求項３】
各浴湯改質体間にスペーサーを介して所定間隔を保持し、各浴湯改質体にボルト穴を連通するように形成し、各ボルト穴にボルトを通してナットで螺合した、請求項２記載の温浴器。
【請求項４】
各浴湯改質体間にスペーサーを介して所定間隔を保持し、積層した浴湯改質体の両端に保持具を嵌合した、請求項２記載の温浴器。
【請求項５】
保持具が弾性を有するものである、請求項４記載の温浴器。
【請求項６】
各浴湯改質体の下面にスペーサーを兼ねる所定高さの脚部材を取り付け、最下の浴湯改質体に支柱を取り付け、その上に積層される他の浴湯改質体に支柱を通す柱穴をそれぞれ形成し、しかも各柱穴の内径を支柱の外径より大きく形成した、請求項１記載の温浴器。
【請求項７】
広幅の浴湯改質体の上面に複数段に連結した４組の小型の浴湯改質体を中央部に空間が形成されるように脱着自在に連結し、中央部の空間に複数段に連結した別の小型の浴湯改質体、又はマイナスイオン又は遠赤外線を発生する鉱石片、あるいはこれらの鉱石片を固化したセラミックス体を収容し、通水穴と取っ手穴を備えた浴湯改質体を空間の上部に蓋として脱着自在に配置した、請求項１〜３いずれか記載の温浴器。
【請求項８】
浴湯改質体に通水穴を形成した、請求項１〜７いずれか記載の温浴器。
【請求項９】
最上位置の浴湯改質体以外のいずれかの浴湯改質体の両端が他の浴湯改質体の両端より内側になるように狭幅にするか、又はいずれかの浴湯改質体の両端が他の浴湯改質体の両端より突出するように拡幅にして取っ手を形成した、請求項１〜８いずれか記載の温浴器。
【請求項１０】
浴湯改質体の下面に脚部材を設けた、請求項１〜９いずれか記載の温浴器。
【請求項１１】
積層した浴湯改質体の全体を被覆できる通水穴付きのカバーを備えた、請求項１〜１０いずれか記載の温浴器。
【請求項１２】
浴湯改質体が、ラジウム石・天寿石・ゲルマニウム石・トルマリン石・麦飯石から選ばれた自然石を板状に加工したもの又はラジウム石・天寿石・ゲルマニウム石・トルマリン石・麦飯石から選ばれた自然石の石粉を含有して板状に固化させたセラミックス体である、請求項１〜１１いずれか記載の温浴器。
【請求項１３】
最上位置の浴湯改質体に開口部を形成し、同開口部にラジウム鉱石粉入りの釉薬が塗られたセラミックス体を嵌合した、請求項１〜１２いずれか記載の温浴器。
【請求項１４】
ラジウム石・天寿石・ゲルマニウム石・トルマリン石・麦飯石から選ばれた自然石を板状に加工したもの又はラジウム石・天寿石・ゲルマニウム石・トルマリン石・麦飯石から選ばれた自然石の石粉を含有して板状に固化させたセラミックス体からなる５種の浴湯改質体をスペーサーを介して積層し、各浴湯改質体にボルト穴を連通するように形成し、各ボルト穴にボルトを通してナットで螺合し、最上位置の浴湯改質体以外の浴湯改質体に通水穴を形成し、最上位置の浴湯改質体以外のいずれかの浴湯改質体の両端が他の浴湯改質体の両端より内側になるように狭幅にして取っ手を形成し、最下位置の浴湯改質体の下面に脚部材を設けた、温浴器。
【請求項１５】
ラジウム石・天寿石・ゲルマニウム石・トルマリン石・麦飯石から選ばれた自然石を板状に加工したもの又はラジウム石・天寿石・ゲルマニウム石・トルマリン石・麦飯石から選ばれた自然石の石粉を含有して板状に固化させたセラミックス体からなる５種の浴湯改質体をスペーサーを介して積層し、積層した浴湯改質体の両端に弾性を有する保持具を嵌合し、最上位置の浴湯改質体以外の浴湯改質体に通水穴を形成し、最上位置の浴湯改質体以外のいずれかの浴湯改質体の両端が他の浴湯改質体の両端より内側になるように狭幅にして取っ手を形成した、温浴器。
【考案の詳細な説明】
【技術分野】
【０００１】
本考案は、浴槽の底部に配置して使用する温浴器に関する。
【背景技術】
【０００２】
従来、浴槽の底部に配置して使用する温浴器が特許文献１〜３に開示されている。特許文献１の技術は、通水穴を有する容器内にトルマリン石と備長炭を近接させて収容したものである。特許文献２の技術は、通水穴を有する桧製の容器内に麦飯石を収容したものである。特許文献３の技術は、通水穴を有する桧製の容器内に遠赤外線放射特性を有する擬灰質砂岩を収容したものである。
【０００３】
ところで、前記いずれの技術も浴湯改質体は容器に収容して使用するものであるから、以下のような問題があった。
１）浴湯改質体の効能が容器の容積分に制限され、それ以上の効能を求める場合は容器を大型化する必要があり、浴槽の空間を狭めてしまう。
２）浴湯改質体は小片や粒状であるから取り扱いが面倒である。
３）求める効能が複数あり、異なる種類の浴湯改質体を容器に混在させて収容すると、その後不要となった場合は分別に手間を要する。
４）容器を使用する分だけコストがかかる。
【０００４】
また、浴槽の底面にタイル状の浴湯改質体を複数枚敷き詰めて固着する方法が特許文献４に開示されているが、施工に手間を要してコストがかかるとともに浴湯改質体の取り外しや交換ができない問題があった。
【特許文献１】特開２０００−５７４４号公報
【特許文献２】特開２０００−２８７８５８号公報
【特許文献３】特開２００３−１２６２０７号公報
【特許文献４】特開２００２−３０８７５８号公報
【考案の開示】
【考案が解決しようとする課題】
【０００５】
本考案が解決しようとする課題は、従来のこれらの問題点を解消し、単位容積当たりの効能が高く、求める効能に対応した様々な種類の浴湯改質体を容易に組み合わせできる小型低コストの温浴器を提供することにある。
【課題を解決するための手段】
【０００６】
かかる課題を解決した本考案の構成は、
１）  浴湯を改質する２種以上の異なる板状の浴湯改質体を所定間隔おいて積層した、温浴器
２）  各浴湯改質体を取り外し可能に連結した、前記１）記載の温浴器
３）  各浴湯改質体間にスペーサーを介して所定間隔を保持し、各浴湯改質体にボルト穴を連通するように形成し、各ボルト穴にボルトを通してナットで螺合した、前記２）記載の温浴器
４）  各浴湯改質体間にスペーサーを介して所定間隔を保持し、積層した浴湯改質体の両端に保持具を嵌合した、前記２）記載の温浴器
５）  保持具が弾性を有するものである、前記４）記載の温浴器
６）  各浴湯改質体の下面にスペーサーを兼ねる所定高さの脚部材を取り付け、最下の浴湯改質体に支柱を取り付け、その上に積層される他の浴湯改質体に支柱を通す柱穴をそれぞれ形成し、しかも各柱穴の内径を支柱の外径より大きく形成した、前記１）記載の温浴器。
７  広幅の浴湯改質体の上面に複数段に連結した４組の小型の浴湯改質体を中央部に空間が形成されるように脱着自在に連結し、中央部の空間に複数段に連結した別の小型の浴湯改質体、又はマイナスイオン又は遠赤外線を発生する鉱石片、あるいはこれらの鉱石片を固化したセラミックス体を収容し、通水穴と取っ手穴を備えた浴湯改質体を空間の上部に蓋として脱着自在に配置した、前記１）〜３）いずれか記載の温浴器
８）  浴湯改質体に通水穴を形成した、前記１）〜７）いずれか記載の温浴器
９）  最上位置の浴湯改質体以外のいずれかの浴湯改質体の両端が他の浴湯改質体の両端より内側になるように狭幅にするか、又はいずれかの浴湯改質体の両端が他の浴湯改質体の両端より突出するように拡幅にして取っ手を形成した、前記１）〜８）いずれか記載の温浴器
１０）  浴湯改質体の下面に脚部材を設けた、前記１）〜９）いずれか記載の温浴器
１１）  積層した浴湯改質体の全体を被覆できる通水穴付きのカバーを備えた、前記１）〜１０）いずれか記載の温浴器
１２）  浴湯改質体が、ラジウム石・天寿石・ゲルマニウム石・トルマリン石・麦飯石から選ばれた自然石を板状に加工したもの又はラジウム石・天寿石・ゲルマニウム石・トルマリン石・麦飯石から選ばれた自然石の石粉を含有して板状に固化させたセラミックス体である、前記１）〜１１）いずれか記載の温浴器
１３）  最上位置の浴湯改質体に開口部を形成し、同開口部にラジウム鉱石粉入りの釉薬が塗られたセラミックス体を嵌合した、前記１）〜１２）いずれか記載の温浴器
１４）  ラジウム石・天寿石・ゲルマニウム石・トルマリン石・麦飯石から選ばれた自然石を板状に加工したもの又はラジウム石・天寿石・ゲルマニウム石・トルマリン石・麦飯石から選ばれた自然石の石粉を含有して板状に固化させたセラミックス体からなる５種の浴湯改質体をスペーサーを介して積層し、各浴湯改質体にボルト穴を連通するように形成し、各ボルト穴にボルトを通してナットで螺合し、最上位置の浴湯改質体以外の浴湯改質体に通水穴を形成し、最上位置の浴湯改質体以外のいずれかの浴湯改質体の両端が他の浴湯改質体の両端より内側になるように狭幅にして取っ手を形成し、最下位置の浴湯改質体の下面に脚部材を設けた、温浴器
１５）  ラジウム石・天寿石・ゲルマニウム石・トルマリン石・麦飯石から選ばれた自然石を板状に加工したもの又はラジウム石・天寿石・ゲルマニウム石・トルマリン石・麦飯石から選ばれた自然石の石粉を含有して板状に固化させたセラミックス体からなる５種の浴湯改質体をスペーサーを介して積層し、積層した浴湯改質体の両端に弾性を有する保持具を嵌合し、最上位置の浴湯改質体以外の浴湯改質体に通水穴を形成し、最上位置の浴湯改質体以外のいずれかの浴湯改質体の両端が他の浴湯改質体の両端より内側になるように狭幅にして取っ手を形成した、温浴器
にある。
【考案の効果】
【０００７】
本考案によれば、以下の効果を奏する。
１）浴湯改質体を容器に収容しないから、必要とする効能に応じて浴湯改質体を任意の枚数に積層でき、容器の容積に制限されない。
２）浴湯改質体が板状の塊であるから取り扱いが容易で、従来の小片や粒状のものと比較して単位容積当たりの効能が高く、小型化できる。
３）ある種の強い効能が求められる場合、同じ種類の浴湯改質体を必要枚数積層することで達成できる。
４）求める効能に応じて様々な種類の浴湯改質体を自在に組み合わせでき、交換や不要となった場合も取り外しは容易である。
５）容器を使用しないから、その分だけ低コストで実施できる。
【考案を実施するための最良の形態】
【０００８】
本考案の浴湯改質体としては、ミネラルを溶出する麦飯石、ホルミシス効果を有するラジウム石・ゲルマニウム石・トルマリン石、遠赤外線を放射する天寿石等の板状の自然石又はその石粉を含有して固化した板状のセラミックス体が用いられ、求める効能に応じた枚数が任意の順に積層される。また、積層したものを分離して一枚単位で使用することも可能である。積層した各浴湯改質体の連結手段としては、各浴湯改質体間にスペーサーを介して所定間隔を保持し、各浴湯改質体にボルト穴を連通するように形成し、各ボルト穴にボルトを通してナットで螺合する方法や、積層した浴湯改質体の両端に保持具を嵌合する方法があり、コストや意匠に応じて選ばれる。保持具に弾性を有するものを用いると、入浴者を保護できるとともに下部が脚部材となる。最上位置の浴湯改質体以外のいずれかの浴湯改質体の両端が他の浴湯改質体の両端より内側になるように狭幅に形成すると、取っ手を形成できて運搬が容易となる。取っ手は逆に拡幅して両端を突出させてもよく、あるいは浴湯改質体間の間隔を指が入る大きさに形成してもよい。浴湯改質体の中央部に通水穴を形成すると、浴湯が通水して効能をより発揮し易くなる。浴湯改質体の下面にゴム等の弾性材料からなる脚部材を設けると、浴槽の底面を保護できる。また、脚部材として下面が吸着面である吸盤を用いると、浴湯改質体の積層位置がずれ難くなり、浴湯改質体同士の連結手段となる。積層した浴湯改質体の全体を被覆できる通水穴付きのカバーを備えると入浴者を保護でき、カバーは透明のプラスチック製や金網で構成したものが使用できる。最上位置の浴湯改質体に開口部を形成し、同開口部にラジウム鉱石粉入りの釉薬が塗られたセラミックス体を嵌合すると、より多くのマイナスイオンを発生させることができ、温浴器の意匠性も向上できる。以下、本考案の各実施例を図面に基づいて具体的に説明する。
【実施例１】
【０００９】
図１〜６に示す実施例１は、５種類の浴湯改質体を積層した温浴器の例である。図１は実施例１の温浴器の斜視図、図２は実施例１の温浴器の正面図、図３は実施例１の温浴器の底面図、図４は図２のＡ−Ａ断面図、図５は図２のＢ−Ｂ断面図、図６は実施例１の温浴器の使用状態を示す説明図である。図中、１は温浴器、２は浴湯改質体、２ａはボルト穴、２ｂは通水穴、３はボルト、４はナット、５はスペーサー、６は脚部材、７は取っ手、Ｂは浴槽、Ｈは入浴者、Ｗは浴湯である。
【００１０】
実施例１の浴湯改質体２は、図１〜５に示すように長さ２００ｍｍ、幅１５０ｍｍ、厚さ２０ｍｍの板状に形成するとともに入浴者Ｈを保護するために角部を面取りしている。浴湯改質体２の種類は、上から順にラジウム石・天寿石・ゲルマニウム石・トルマリン石・麦飯石の自然石を用いている。各浴湯改質体２は前記の順にボルト３とナット４で積層している。スペーサー５は厚さ３ｍｍで、各浴湯改質体２間に３ｍｍの間隔を形成している。最上位置の浴湯改質体２以外の浴湯改質体２の中央部には内径４０ｍｍの通水穴２ｂを形成している。真中の浴湯改質体２はその両端が他の浴湯改質体２の両端より内側になるように狭幅にして取っ手７を形成している。最下位置の浴湯改質体２の下面にはゴム製の脚部材６を取り付けている。
【００１１】
図６に示すように、この温浴器１を浴槽Ｂの底面に配置すると、浴湯Ｗが浴湯改質体２間の隙間及び通水穴２ｂを通じて行き渡って浴湯改質体２の表面全面と触れ、ミネラル等が溶出して浴湯Ｗが改質される。このように、実施例１によれば、浴湯改質体２を容器に収容しないから、必要とする効能に応じて浴湯改質体２を任意の枚数に積層でき、容器の容積に制限されない。また、浴湯改質体２が板状の塊であるから取り扱いが容易で、従来の小片や粒状のものと比較して単位容積当たりの効能が高く、小型化できる。また、ある種の強い効能が求められる場合、同じ種類の浴湯改質体２を必要枚数積層することで達成できる。また、求める効能に応じて様々な種類の浴湯改質体２を自在に組み合わせでき、交換や不要となった場合も取り外しは容易である。また、容器を使用しないから、その分だけ低コストで実施できる。
【００１２】
図７に示すのは、積層した浴湯改質体の全体を被覆できる通水穴付きのカバーを備えた実施例１の温浴器の他の例である。図７は実施例１の他の例の温浴器の説明図である。図中、８はカバー、８ａは通水穴である。図７に示す実施例１の他の例は、温浴器１を透明のプラスチックからなるカバー８で上方から被覆している。カバー８は全体に通水穴８ａが多数形成されており、浴湯Ｗが通水できるようにしている。このカバー８で浴湯改質体２の効果を維持しながら入浴者Ｈを保護できる。その他、符号、構成、作用効果は実施例１と同じである。
【実施例２】
【００１３】
図８，９に示す実施例２は、積層した浴湯改質体の両端に弾性を有する保持具を嵌合した温浴器の例である。図８は実施例２の温浴器の斜視図、図９は実施例２の温浴器の正面図である。図中、９は保持具である。実施例２では、図８，９に示すように積層した浴湯改質体２の両端に発泡ゴム製の弾性を有する保持具９を脱着自在に嵌合して固定している。この保持具９で、浴湯改質体２同士の連結と浴槽Ｂの底面の保護と入浴者Ｈの保護を同時に達成でき、実施例１より低コストで実施できる。その他、符号、構成、作用効果は実施例１と同じである。
【実施例３】
【００１４】
図１０，１１に示す実施例３は、最上位置の浴湯改質体に開口部を形成し、同開口部にラジウム鉱石粉入りの釉薬が塗られたセラミックス体を嵌合した温浴器の例である。図１０は実施例３の温浴器の斜視図、図１１は実施例３の温浴器の縦断面図である。図中、２ｃは開口部、１０はセラミックス体である。実施例３によれば、セラミックス体１０の表面の釉薬にラジウム鉱石粉が混入されているから、実施例１と比較してより多くのマイナスイオンを発生させることができ、温浴器の意匠性も向上できる。その他、符号、構成、作用効果は実施例１と同じである。
【実施例４】
【００１５】
図１２〜１４に示す実施例４は、広幅の浴湯改質体の上面に複数段に連結した４組の小型の浴湯改質体を中央部に空間が形成されるように脱着自在に連結し、中央部の空間に複数段に連結した別の小型の浴湯改質体又はマイナスイオンを発生する鉱石片を収容した温浴器の例である。図１２は実施例４の温浴器の分解斜視図、図１３は実施例４の小型の浴湯改質体の断面図、図１４は実施例４の温浴器の斜視図である。図中、２ｄは柱穴、２ｅは取っ手穴、２ｆは段差、１１は支柱、１２は連結棒、Ｓは鉱石片である。
【００１６】
実施例４の温浴器１は、図１２，１３に示すように広幅の浴湯改質体２の上面に支柱１１を４本取り付け、小型の浴湯改質体２同士は連結棒１２で複数段に連結するとともに最上位置の浴湯改質体２以外の浴湯改質体２に支柱１１を連通する柱穴２ｄを形成し、４組の複数段の浴湯改質体２を中央部に空間が形成されるように脱着自在に連結している。両側に位置する最上位置の浴湯改質体２は他の浴湯改質体２より狭幅にして段差２ｆを形成している。
【００１７】
図１４に示すように、中央部の空間には求める効能に応じて別の小型の浴湯改質体２又はトルマリン等のマイナスイオンを発生する鉱石片Ｓを収容する。鉱石片Ｓを収容する場合は、別の浴湯改質体２を段差２ｆに係止して蓋として配置する。蓋となる浴湯改質体２には小径の通水穴２ｂを複数形成して鉱石片Ｓのマイナスイオンを外部へ放散できるようにするとともに、指が入る内径の取っ手穴２ｅを２箇所形成して脱着を容易にしている。その他、符号、構成、作用効果は実施例１と同じである。
【実施例５】
【００１８】
図１５，１６に示す実施例５は、各浴湯改質体の下面にスペーサーを兼ねる所定高さの脚部材を取り付け、最下の浴湯改質体に支柱を取り付け、その上に積層される他の浴湯改質体に支柱を通す柱穴をそれぞれ形成し、しかも各柱穴の内径を支柱の外径より大きく形成した温浴器の例である。図１５は実施例５の温浴器の分解斜視図、図１６は実施例５の温浴器の側面図である。
【００１９】
実施例５の温浴器１は、図１５，１６に示すように上から順にラジウム石・麦飯石・天寿石・トルマリン石・ゲルマニウム石・ゲルマニウム石の各浴湯改質体２を自重で積層している。最下の浴湯改質体２は広幅のものを用い、下から２枚目の浴湯改質体２には支柱１１を取り付けている。上から２〜４枚目の浴湯改質体２は中央部に支柱１１を通す柱穴２ｄを貫通し、最上の浴湯改質体２は下面に支柱１１の上端と係止する非貫通の柱穴２ｄを形成している。柱穴２ｄの内径は支柱１１の外径より大きく形成し、隙間を通じて浴湯Ｗが流通できるようにしている。各浴湯改質体２の下面にはゴム製の脚部材６を四隅に取り付けてスペーサーを兼ねている。また、最下の浴湯改質体２は広幅であるから、他の浴湯改質体２を取り外して入浴者の腰掛け台としても利用できる。その他、符号、構成、作用効果は実施例１と同じである。
【産業上の利用可能性】
【００２０】
本考案の温浴器は、一般家庭の浴槽の他、商用の浴場にも応用できる。
【図面の簡単な説明】
【００２１】
【図１】実施例１の温浴器の斜視図である。
【図２】実施例１の温浴器の正面図である。
【図３】実施例１の温浴器の底面図である。
【図４】図２のＡ−Ａ断面図である。
【図５】図２のＢ−Ｂ断面図である。
【図６】実施例１の温浴器の使用状態を示す説明図である。
【図７】実施例１の他の例の温浴器の説明図である。
【図８】実施例２の温浴器の斜視図である。
【図９】実施例２の温浴器の正面図である。
【図１０】実施例３の温浴器の斜視図である。
【図１１】実施例３の温浴器の縦断面図である。
【図１２】実施例４の温浴器の分解斜視図である。
【図１３】実施例４の小型の浴湯改質体の断面図である。
【図１４】実施例４の温浴器の斜視図である。
【図１５】実施例５の温浴器の分解斜視図である。
【図１６】実施例５の温浴器の側面図である。
【符号の説明】
【００２２】
１  温浴器
２  浴湯改質体
２ａ  ボルト穴
２ｂ  通水穴
２ｃ  開口部
２ｄ  柱穴
２ｅ  取っ手穴
２ｆ  段差
３  ボルト
４  ナット
５  スペーサー
６  脚部材
７  取っ手
８  カバー
８ａ  通水穴
９  保持具
１０  セラミックス体
１１  支柱
１２  連結棒
Ｂ  浴槽
Ｈ  入浴者
Ｓ  鉱石片
Ｗ  浴湯
【図１】
0003133305.tif 000003
【図２】
0003133305.tif 000004
【図３】
0003133305.tif 000005
【図４】
0003133305.tif 000006
【図５】
0003133305.tif 000007
【図６】
0003133305.tif 000008
【図７】
0003133305.tif 000009
【図８】
0003133305.tif 000010
【図９】
0003133305.tif 000011
【図１０】
0003133305.tif 000012
【図１１】
0003133305.tif 000013
【図１２】
0003133305.tif 000014
【図１３】
0003133305.tif 000015
【図１４】
0003133305.tif 000016
【図１５】
0003133305.tif 000017
【図１６】
0003133305.tif 000018